(57)【要約】【課題】小形で取扱いが容易で、傘を無理なく確実に保持させることができ、必要時及び不必要時にかかわらず、鞄などに常時吊り下げておいてもファッション性を損なわないようなデザインを容易に採用することのできる傘ホルダーを提供する。【解決手段】ホルダー本体Ａと締付け手段Ｂとを有する。ホルダー本体Ａが受け板部１０及び押さえ板部２０の２つの板部を有する。締付け手段Ｂが２つの板部１０，２０の通し孔１１ａ〜１１ｄ、２１ａ〜２１ｄに挿通された無端紐状体４０と係止部１６とを有する。２つの板部１０，２０を離反させてそれらの相互間隔を拡げることが可能で、かつ、伸長させた無端紐状体４０の作用で２つの板部１０，２０が接近方向に付勢されるように構成する。押さえ板部２０の外面にセルロイド模様などの模様を施してもよい。【選択図】図１
2020099628.tif 000002
【特許請求の範囲】
【請求項１】
傘が挿入されるホルダ−本体と、傘が挿入された上記ホルダー本体を締め付けてこのホルダー本体によって上記傘を保持させる締付け手段と、を有する傘ホルダーであって、
上記ホルダー本体が、相対向状態で配備される縦長の受け板部及び押さえ板部の２つの板部を有し、
上記締付け手段が２つの上記板部に掛け廻し可能な伸縮性を有する紐状体を備え、この紐状体が掛け廻された２つの上記板部を離反させてそれらの相互間隔を拡げることが可能で、かつ、引張力が加えられて上記紐状体が伸長したときの収縮方向に作用する弾性によって２つの上記板部が互いに接近方向に付勢されるように構成されていることを特徴とする傘ホルダー。
【請求項２】
上記締付け手段が、２つの上記板部のそれぞれに設けられた通し孔に摺動自在に挿通されてそれら２つの板部の外面に掛け廻された伸縮性を有する無端紐状体でなる上記紐状体と、２つの上記板部のいずれか一方の外面に設けられかつ引張力が加えられて伸長した上記無端紐状体の少なくとも１箇所を係止して上記無端紐状体の伸長状態を保つ係止部と、を有する請求項１に記載した傘ホルダー。
【請求項３】
上記通し孔が２つの上記板部のそれぞれの上下各２箇所に設けられ、それぞれの上記通し孔に挿通された上記無端紐状体が、上記受け板部の外面に上下２箇所で横向きに掛け廻され、かつ、上記押さえ板部の外面にたすき掛けの形で掛け廻されていると共に、上記押さえ板部の外面に、たすき掛けの形で掛け廻されている上記無端紐状体を収容可能なＸ字形の溝条が形成されている請求項２に記載した傘ホルダー。
【請求項４】
上記無端紐状体における上記受け板部の外面に横向きに掛け廻されている上下２箇所の
横架部のうちの上側横架部の１箇所が、上記係止部に対する係止箇所とされている請求項３に記載した傘ホルダー。
【請求項５】
上記押さえ板部の上端高さが、当該押さえ板部に相対向状態で配備された上記受け板部の上端高さよりも低位に定められ、かつ、それら２つの板部の上端部の相互間開口によって形成される傘の差込み口が上拡がり形状に形作られている請求項１ないし請求項４のいずれか１項に記載した傘ホルダー。
【請求項６】
２つの上記板部の下端部の相互間開口によって形成される傘の挿通口が下拡がり形状に形作られている請求項１ないし請求項５のいずれか１項に記載した傘ホルダー。
【請求項７】
２つの上記板部が円弧状の内面を備える断面円弧状の板体によって形成されていると共に、２つの上記板部のそれぞれの左右の端縁の中間部に、凹入状の盗み凹所が形成されている請求項１ないし請求項６のいずれか１項に記載した傘ホルダー。
【請求項８】
上記押さえ板部の外面にセルロイド模様などの模様が施されている請求項１ないし請求項７のいずれか１項に記載した傘ホルダー。
【発明の詳細な説明】
【技術分野】
【０００１】
本発明は、鞄などに吊り下げて携行することができる傘ホルダー、特に、取扱いが容易で、傘を無理なく確実に収容保持させることができるようになる対策を講じた傘ホルダーに関する。
【背景技術】
【０００２】
洋傘などの傘は、長傘や日傘、コンパクトに折り畳むことのできる所謂折畳み傘を含めて、鞄やリュックサックに入れたり手に持って携行したりすることが多いけれども、雨に濡れた傘は、鞄やリュックサックに入っている物を濡らすおそれがあるので、手に持って携行することが多く煩わしかった。また、傘を手に持って携行すると、電車などに置き忘れたりすることも多かった。
【０００３】
このような状況の下で、先行例によって、鞄に取り付けて携行することができるようにした傘ホルダーが提案されている（たとえば、特許文献１又は特許文献２）。このうち、特許文献１によって提案されている傘ホルダーは、鞄の取っ手に吊り下げた帯状の基体に大径環、小径環及び締付ベルトの３つの部品を設けてなり、傘の先端部と根元部とを小径環と大径環とに挿通させ、かつ、締付ベルトによって傘の中間部を締め付けるようになっている。また、特許文献２によって提案されている傘ホルダーは、畳んだ傘を収納するポケットを有する収納部材を鞄の把手に吊り下げるようになっている。
【先行技術文献】
【特許文献】
【０００４】
【特許文献１】特開２０００−１４４３７号公報
【特許文献２】実用新案登録第３１３２７８２号公報
【発明の概要】
【発明が解決しようとする課題】
【０００５】
しかしながら、特許文献１によって提案されている傘ホルダーは、不必要なときに鞄の取っ手に吊り下げたままにしておくと、帯状の基体が鞄の外側に長く垂れ下がってじゃまになることが懸念される。そのため、不必要なときには、帯状の基体を取っ手から取り外して鞄に収納しておくことが要求されるという不便があった。また、特許文献２によって提案されている傘ホルダーは、畳んだ傘をポケットに収納することに特化しているので、不必要なときに鞄の把手に吊り下げておいてもそれほどじゃまにはならないと考えられるけれども、携行する者にとっては、不必要なときに鞄の把手に吊り下げたままにしておくことには、ファッション性などを勘案すると、一定の抵抗感を感じざるを得ないという状況もあった。
【０００６】
本発明は、以上の状況の下でなされたものであり、小形で取扱いが容易であり、傘を無理なく確実に収容保持させることができるものでありながら、必要時及び不必要時にかかわらず、鞄などに常時吊り下げておいてもファッション性を損なわないようなデザインを容易に採用することのできる傘ホルダーを提供することを目的とする。
【課題を解決するための手段】
【０００７】
本発明に係る傘ホルダーは、傘が挿入されるホルダ−本体と、傘が挿入された上記ホルダー本体を締め付けてこのホルダー本体によって上記傘を保持させる締付け手段と、を有する。そして、上記ホルダー本体が、相対向状態で配備される縦長の受け板部及び押さえ板部の２つの板部を有し、上記締付け手段が２つの上記板部に掛け廻し可能な伸縮性を有する紐状体を備え、この紐状体が掛け廻された２つの上記板部を離反させてそれらの相互間隔を拡げることが可能で、かつ、引張力が加えられて上記紐状体が伸長したときの収縮方向に作用する弾性によって２つの上記板部が互いに接近方向に付勢されるように構成されている。ここで、「２つの板部に掛け廻し可能な伸縮性を有する紐状体」には、２つの板部の両方を取り囲むように引き廻された伸縮性を有する紐状体が含まれるほか、２つの板部のうちの一方の板部に端部を引掛けて他方の板部の外面に沿って引き廻された伸縮性を有する紐状体、なども含まれる。
【０００８】
この発明に係る傘ホルダーは、たとえば吊り下げ具などを利用して鞄の把手などに吊り下げて携行することが可能である。また、紐状体が掛け廻された２つの上記板部を離反させて受け板部と押さえ板部との相互間隔を拡げると、それらの２つの板部の相互間に傘を容易に挿入することができ、挿入後には、紐状体が収縮方向に作用する弾性によって、２つの上記板部によって傘が締め付けられて当該傘ホルダーに保持される。
【０００９】
本発明では、上記締付け手段が、２つの上記板部のそれぞれに設けられた通し孔に摺動自在に挿通されてそれら２つの板部の外面に掛け廻された伸縮性を有する無端紐状体でなる上記紐状体と、２つの上記板部のいずれか一方の外面に設けられかつ引張力が加えられて伸長した上記無端紐状体の少なくとも１箇所を係止して上記無端紐状体の伸長状態を保つ係止部と、を有する、という構成を採用することが望ましい。この発明によると、ホルダ−本体が受け板部と押さえ板部という２つの別部材で形成されているにもかかわらず、それら２つの板部が無端紐状体によって連結されているので２つの板部がばらばらにならないという利点がある。また、係止部に無端紐状体の少なくとも１箇所を係止させるだけの簡単な操作によって２つの板部の相互間で傘を保持させることが可能である。
【００１０】
本発明では、上記通し孔が２つの上記板部のそれぞれの上下各２箇所に設けられ、それぞれの上記通し孔に挿通された上記無端紐状体が、上記受け板部の外面に上下２箇所で横向きに掛け廻され、かつ、上記押さえ板部の外面にたすき掛けの形で掛け廻されていると共に、上記押さえ板部の外面に、たすき掛けの形で掛け廻されている上記無端紐状体を収容可能なＸ字形の溝条が形成されている、という構成を採用することが可能である。この構成を採用しておくと、携行時に外部から見える押さえ板部の外面にたすき掛けの形で掛け廻されている無端紐状体に一定のファッション性を発揮させることが可能であるだけでなく、無端紐状体のたすき掛けの形で掛け廻されている箇所が押さえ板部の外面に形成されているＸ字形の溝条に収容されるので、仮に無端紐状体が太くても押さえ板部の外面からそれほど突き出さなくなり、たすき掛けの形で掛け廻されている箇所に物が引掛かったりすることが抑制されてそれだけ携行時の安全性が向上する。
【００１１】
本発明では、上記無端紐状体における上記受け板部の外面に横向きに掛け廻されている上下２箇所の横架部のうちの上側横架部の１箇所が、上記係止部に対する係止箇所とされていることが望ましい。この構成を採用しておくと、無端紐状体の上記上側横架部が下側横架部よりも緩みやすくなる。そして、緩んでいる上側横架部を利用すると、２つの板部の上端部の相互間開口を拡げやすくなるので、そうすることにより傘を２つの上記板部に挿入するときの取扱性が向上する。
【００１２】
本発明では、上記押さえ板部の上端高さが、当該押さえ板部に相対向状態で配備された上記受け板部の上端高さよりも低位に定められ、かつ、それら２つの板部の上端部の相互間開口によって形成される傘の差込み口が上拡がり形状に形作られていることが望ましい。この構成を採用すると、当該傘ホルダーに広い差込み口を付与することができるために、傘を２つの上記板部に挿入するときの取扱性が向上する。
【００１３】
本発明では、２つの上記板部の下端部の相互間開口によって形成される傘の挿通口が下拡がり形状に形作られていることが望ましい。この構成を採用しておくと、ホルダー本体から傘、特に長傘や日傘を抜き出すときに、傘の先端部の「石突き」の根元に位置して外側に鍔状に張り出した「陣笠」「陣下」と称される部分がホルダー本体に引掛からなくなるので、傘を円滑にホルダー本体から抜き出すことができるようになる。
【００１４】
本発明では、２つの上記板部が円弧状の内面を備える断面円弧状の板体によって形成されていると共に、２つの上記板部のそれぞれの左右の端縁の中間部に、凹入状の盗み凹所が形成されている、という構成を採用することが可能である。この発明によれば、２つの板部の円弧状の内面によって傘が確実にぐらつきなく締め付けられるために携行時に傘が安定する。また、２つの板部が断面円弧状の板体によって形成されているために、２つの板部のそれぞれの左右の端縁の中間部の凹入状の盗み凹所の形成箇所が開口を形作るようになる。そのため、当該傘ホルダーに保持させた傘の「小間」と呼ばれる生地がその開口から外側へ膨らみ出て盗み凹所の形成箇所に引掛かり、そのことが傘の滑り落ちを防ぐことに役立つ。
【００１５】
本発明では、上記押さえ板部の外面にセルロイド模様などの模様が施されている、という構成を採用することが可能である。模様には、上記セルロイド模様のほか、自然の風景や動植物、石などをあしらった模様や柄模様、幾何学的な柄模様、文字や文字をあしらった柄模様などが含まれる。セルロイド模様とは、プラスチック素材であるセルロイドの表面に表れる不規則模様のことである。そして、押さえ板部の外面に模様が施されていると、その模様の装飾性や趣味性などの特性によって当該傘ホルダーにアクセサリー的な意味合いを顕著に付与することができるという利点がある。
【発明の効果】
【００１６】
以上のように、本発明に係る傘ホルダーによると、小形で取扱いが容易であり、傘を無理なく確実に収容保持させることができるものでありながら、必要時及び不必要時にかかわらず、鞄などに常時吊り下げておいてもファッション性を損なわないようなデザインを容易に採用することのできる傘ホルダーを提供することが可能になる。
【図面の簡単な説明】
【００１７】
【図１】本発明の実施形態に係る傘ホルダーの概略斜視図である。
【図２】受け板部及び押さえ板部をそれらの外面側から見て示した説明図である。
【図３】傘ホルダーの平面図である。
【図４】受け板部及び押さえ板部の縦断側面図である。
【図５】無端紐状体の掛け廻し形態を例示した説明図である。
【図６】傘を傘ホルダーに挿入する段階を側面から見て示した説明図である。
【図７】傘を保持した傘ホルダーを側面から見て示した説明図である。
【図８】傘ホルダーの実使用状態を例示した説明図である。
【発明を実施するための形態】
【００１８】
図１は本発明の実施形態に係る傘ホルダー１００の概略斜視図である。図２は傘ホルダー１００の構成要素である受け板部１０及び押さえ板部２０をそれらの外面側から見て示した説明図、図３は傘ホルダー１００の平面図、図４は図２に示した受け板部１０及び押さえ板部２０の縦断側面図、図５は傘ホルダー１００の他の構成要素である無端紐状体４０の掛け廻し形態を例示した説明図である。
【００１９】
図２のように、受け板部１０と押さえ板部２０とは類似形状を有していて、これら２つの板部１０，２０によって傘が挿入されるホルダー本体Ａが形成される。ホルダー本体Ａを形成している２つの板部１０，２０はいずれも縦長に形作られ、上記のように類似形状を有しているけれども、押さえ板部２０の上端高さが、当該押さえ板部２０に相対向状態で配備された受け板部１０の上端高さよりも寸法（高さ寸法差）Ｌだけ低位に定められている。同図には受け板部１０の高さを寸法（高さ寸法）Ｈで示している。なお、受け板部１０の高さを寸法Ｈはたとえば８〜１２ｃｍ、２つの板部１０，２０の高さ寸法差Ｌはたとえば１〜２ｃｍに定めることが可能である。
【００２０】
図２によって判るように、受け板部１０の上下各２箇所で、かつ、この受け板部１０の左右の端縁の近傍箇所には、通し孔１１ａ，１１ｂ，１１ｃ，１１ｄが設けられているのに対して、押さえ板部２０の上下各２箇所で、かつ、この押さえ板部２０の左右の端縁の近傍箇所には、通し孔２１ａ，２１ｂ，２１ｃ，２１ｄが設けられている。そして、受け板部１０の４箇所の通し孔１１ａ〜１１ｄのそれぞれと押さえ板部２０の４箇所の通し孔２１ａ〜２１ｄのそれぞれとは、これら２つの板部１０，２０をそれらの内面同士を向き合わせて相対向させた状態では、１つづつの通し孔（１１ａと２１ａ、１１ｂと２１ｂ、１１ｃと２１ｃ、１１ｄと２１ｄ）が前後方向でそれぞれ対向する。また、同図のように、押さえ板部２０の外面には、互いに対角方向に位置している２つづつの通し孔（２１ａと２１ｄ、２１ｂと２１ｃ）の相互間に亘るＸ字形の溝条２２が形成されている。さらに、受け板部１０の外面の上部に縦長突部１３が設けられていて、この縦長突部１３に横向き孔部１５が設けられている。加えて、受け板部１０の外面の下部に係止部１６が段付き状に突出して設けられている。
【００２１】
図１、図３又は図４に示したように、受け板部１０及び押さえ板部２０は共に円弧状の内面を備える樹脂成形体でなる断面円弧状の板体によって形成されている。また、２つの板部１０，２０を相対向状態で配備することによってそれら２つの板部１０，２０の相互間に傘を収容可能な空間を形成した場合には、２つの板部１０，２０の上端部１７，２７の相互間開口に傘の差込み口５０が形成されるようになっている。そこで、この実施形態では、２つの板部１０，２０の上端部１７，２７を互いに反対方向に反り返った形状に形作ることによって差込み口５０を上拡がり形状に形成している。このため、ここで説明したように差込み口５０を上拡がり形状に形成していることと、上記したところの押さえ板部２０の上端高さを受け板部１０の上端高さよりも高さ寸法差Ｌだけ低位に定めていること（図２参照）との両者が相乗し、上記差込み口５０の広さが拡がっていると共に、傘を押さえ板部２０の外側から差込み口５０に斜め方向に差し込みやすくなる。また、２つの上記板部１０，２０の下端部の相互間開口によって傘の挿通口５１が形成されるようになっている。そして、この実施形態では、２つの板部１０，２０の下端部１７ａ，２７ａを互いに反対方向に反り返った形状に形作ることによって差込み口５０を下拡がり形状に形成している。こうしておくと、傘ホルダー１００から傘を上方へ抜き出すときに、傘、特に長傘や日傘の先端部分が傘ホルダー１００に引掛かるという事態が起こりにくくなる。
【００２２】
また、図１又は図４のように、断面円弧状の板体によって形成されている２つの板部１０，２０のそれぞれの左右の端縁の中間部に、凹入状の盗み凹所１８，２８が形成されている。そのため、上記したように２つの上記板部１０，２０を相対向状態で配備することによってそれら２つの板部１０，２０の相互間に傘を収容可能な空間を形成した場合には、２つの板部１０，２０の盗み凹所１８，２８の形成箇所が、図４に明確に示されているようにな開口Ｓを形作るようになる。
【００２３】
傘ホルダー１００は、２つの板部１０，２０でなるホルダー本体Ａを締め付けてこのホルダー本体Ａによって傘を保持させるための締付け手段Ｂ（図１参照）を有する。この締付け手段Ｂは、２つの板部１０，２０のそれぞれに設けられた上記通し孔１１ａ〜１１ｂ、２１ａ〜２１ｂに摺動自在に挿通されてそれら２つの板部１０，２０の外面に掛け廻された伸縮性を有する無端紐状体４０と、受け板部１０の外面に設けられた上記係止部１６とを有していて、引張力が加えられて伸長した無端紐状体４０の１箇所を上記係止部１６に係止させることによって無端紐状体４０の伸長状態が保たれるようになっている。この実施形態において、無端紐状体４０には、直径３〜５ｍｍ程度の丸断面のゴム紐が採用されている。
【００２４】
図１又は図５に例示したように、無端紐状体４０は、１本のゴム紐の２つの端部を摘みとして利用される連結具４１によって結合してなる。そして、図５に説明的に示したように、無端紐状体４０は、２つの板部１０，２０の上側の２つづつの通し孔１１ａ，２１ａ、１１ｂ，２１ｂに挿通されて受け板部１０の外面に横向きに掛け廻された上側の横架部ａと、２つの板部１０，２０の下側の２つの通し孔１１ｃ，２１ｃ、１１ｄ，２１ｄに挿通されて受け板部１０の外面に横向きに掛け廻された下側の横架部ｂと、押さえ板部２０の外面にたすき掛けの形で掛け廻されたたすき部ｃとを有していて、上記連結具４１が上側の横架部ａに設けられている。
【００２５】
次に図６〜図８を参照して使用手順及び使用状態を説明する。図６は長傘又は日傘でなる傘２００を傘ホルダー１００に挿入する段階を側面から見て示した説明図、図７は傘２００を保持した傘ホルダー１００を側面から見て示した説明図、図８は傘ホルダー１００に折畳み傘でなる傘２００を保持させた場合の実使用状態を例示した説明図である。
【００２６】
ホルダー本体Ａを形成している２つの板部１０，２０の相互間に傘を挿入するときには、図６のように、連結具４１を係止部１６から取り外して無端紐状体４０、特に無端紐状体４０の上側の横架部ａを緩めておき、この状態で２つの板部１０，２０を矢印Ｆのように離反させてそれらの相互間隔を拡げる。この場合、無端紐状体４０の上側の横架部ａが緩んでいると、図示のように、たとえば押さえ板部２０を斜めにして２つの板部１０，２０の相互間隔を拡げることにより、傘２００の差込み口５０を容易に拡げることができる。こうして２つの板部１０，２０の相互間隔を拡げた後、同図矢印Ｉのように差込み口５０から２つの板部１０，２０の相互間に傘２００を挿入する。次に、連結具４１を手で引張って係止部１６に係止させることにより、無端紐状体４０に引張力を加えて伸長させると、そのときの無端紐状体４０の収縮方向に作用する弾性によって２つの板部１０，２０が互いに接近方向に付勢され、図７のように、２つの板部１０，２０によって形成されているホルダー本体Ａが矢印Ｎのように締め付けられる。これと同時に、無端紐状体４０がそれ自体の弾性によって収縮し、無端紐状体４０のたすき部ｃが押さえ板部２０外面に形成されているＸ字形の溝条２２（図２参照）に収容される。
【００２７】
こうして傘ホルダー１００に傘２００を保持させておくと、２つの板部１０，２０の円弧状の内面によって傘２００が確実にぐらつきなく締め付けられて保持状態が安定する。また、２つの板部１０，２０のそれぞれの左右の端縁の中間部の凹入状の盗み凹所１８，２８の形成箇所によって形作られている開口Ｓから傘２００の「小間」と呼ばれる生地が外側へ膨らみ出てそれらの盗み凹所１８，２８の形成箇所に引掛かかった状態になるので、そのことが傘２００の滑り落ちを防ぐことに役立つ。
【００２８】
傘ホルダー１００から傘２００を上方へ抜き出すときには、連結具４１を係止部１６から外して無端紐状体４０の上側の横架部ａを緩めておくと抜き出しやすくなる。この場合において、ホルダー本体Ａの挿通口５１が下拡がり形状になっていることにより、傘２００を抜き出すときに、図６又は図７に示した傘２００であって、特に長傘や日傘の先端部の石突き２０１の根元に位置して外側に鍔状に張り出した陣笠２０２や陣下２０３と称される部分がホルダー本体に引掛からなくなるので、傘２００を円滑にホルダー本体Ａから抜き出すことができる。
【００２９】
また、携行時に外部から見える押さえ板部２０の外面にたすき掛けの形で掛け廻されている無端紐状体４０に一定のファッション性を発揮させることが可能になるだけでなく、押さえ板部２０の外面に形成されているＸ字形の溝条２２に無端紐状体４０のたすき部ｃが収容されるので、仮に無端紐状体４０が太くても、それが押さえ板部２０の外面からそれほど突き出さなくなり、無端紐状体４０に物が引掛かったりすることが抑制されてそれだけ携行時の安全性が向上する。
【００３０】
図１のように、上記傘ホルダー１００では、受け板部１０の縦長突部１３に横向き孔部１５が形成されていて、この横向き孔部１５に吊下げ具６０を装着することができるようになっている。このため、図８のように、吊下げ具６０を利用して傘ホルダー１００を鞄３００の把手に取り付けて傘２００（図８では折りたたみ傘の場合を図示している）を携行することが可能である。吊下げ具６０は図１に示したものに限定されず、たとえば、紐類であっても、他の種類のフックなどであってもよい。
【００３１】
ところで、ホルダー本体を形成している受け板部１０と押さえ板部２０のうち、押さえ板部２０の外面は、図８で説明したような携行時に人から見られる箇所である。そこで、この点に着目し、押さえ板部２０の外面にセルロイド模様などの模様を施しておくことが有益である。このように、押さえ板部２０の外面にセルロイド模様などの模様を施しておくと、その模様の装飾性や趣味性などの特性によって傘ホルダー１００にアクセサリー的な意味合いを顕著に付与することができるという利点が生じる。なお、模様には、セルロイド模様のほか、自然の風景や動植物、石などをあしらった模様や柄模様、幾何学的な柄模様、文字や文字をあしらった柄模様などが含まれる。
【００３２】
以上説明した実施形態では、受け板部１０及び押さえ板部２０が、共に円弧状の内面を備える断面円弧状の板体によって形成されているけれども、受け板部１０及び押さえ板部２０は必ずしも断面円弧状の板体によって形成する必要はない。たとえば、内面を円弧状として外面を平坦面として置いてもよい。また、無端紐状体４０を係止させるための係止部１６は、押さえ板部２０側に設けておいてもよい。さらに、無端紐状体４０の２箇所を、２箇所に設けられた係止部（不図示）に係止させるようにすることも可能である。
【００３３】
また、上記実施形態では、図１のように、２つの板部１０，２０でなるホルダー本体Ａを締め付けてこのホルダー本体Ａによって傘２００を保持させるための締付け手段Ｂが、２つの板部１０，２０のそれぞれに設けられた通し孔１１ａ〜１１ｂ、２１ａ〜２１ｂ、に摺動自在に挿通されてそれら２つの板部１０，２０の外面に掛け廻された伸縮性を有する無端紐状体４０と、受け板部１０の外面に設けられた上記係止部１６と、によって構成されているけれども、締付け手段には、縦長の受け板部及び押さえ板部の２つの板部に掛け廻し可能な伸縮性を有する１本又は複数本の紐状体を採用することも可能である。締付け手段に１本又は複数本の紐状体を採用したものでは、その紐状体の端部同士を結束しておくことによって、この紐状体が掛け廻された２つの板部を離反させてそれらの相互間隔を拡げることが可能で、かつ、引張力が加えられて上記紐状体が伸長したときの収縮方向に作用する弾性によって２つの上記板部が互いに接近方向に付勢されるように構成することが可能である。ここで、「掛け廻し可能」とは、２つの板部に紐状体を、縦方向又は横方向に巻き付けることが可能な状態が含まれる。したがって、２つの板部１０，２０に掛け廻し可能な伸縮性を有する紐状体には、２つの板部１０，２０の両方を取り囲むように引き廻された伸縮性を有する紐状体が含まれるほか、２つの板部のうちの一方の板部に端部を引掛けて他方の板部の外面に沿って引き廻された伸縮性を有する紐状体、なども含まれる。
【００３４】
なお、説明の便宜上、図１〜図８では同一又は相応する要素に同一の符号を付した。
【符号の説明】
【００３５】
Ａ  ホルダー本体
Ｂ  締付け手段
１０  受け板部
１１ａ〜１１ｄ、２１ａ〜２１ｄ  通し孔
１６  係止部
１８，２８  盗み凹所
２０  押さえ板部
２２  溝条
４０  無端紐状体（紐状体）
５０  差込み口
５１  挿通口
６０  吊下げ具
１００  傘ホルダー
２００  傘
【図１】
2020099628.tif 000003
【図２】
2020099628.tif 000004
【図３】
2020099628.tif 000005
【図４】
2020099628.tif 000006
【図５】
2020099628.tif 000007
【図６】
2020099628.tif 000008
【図７】
2020099628.tif 000009
【図８】
2020099628.tif 000010